(57)【要約】      （修正有）【課題】表層布がスムーズかつピッタリと靴本体の表面に貼り付けられ、外観のデザイン性が向上すると共に、美観にも優れる雨靴及びその分流シートを提供する。【解決手段】表層布を備える雨靴２０は、靴本体と、靴底と、分流シート３０と、を有し、靴本体は、上部に履き口を有する履き空間２５と、底部に設けられる裏面底部と、履き空間を囲むように設置される内層布２１と、外表面に設置される表層布２２と、内層布と表層布との間に設置される樹脂層２３とを備え、靴底は、靴本体の裏面底部と一体に形成され、分流シートは、内層布と表層布との間に位置するように裏面底部に埋設される。【選択図】図７
0003215733.tif 000002
【実用新案登録請求の範囲】
【請求項１】
上部に履き口を有する履き空間と、底部に設けられる裏面底部と、該履き空間を囲むように設置される内層布と、外表面に設置される表層布と、該内層布と表層布との間に設置される樹脂層とを備える靴本体と、
前記靴本体の裏面底部と一体に形成される靴底と、
前記内層布と表層布との間に位置するように裏面底部に埋設される分流シートと、を有することを特徴とする表層布を備える雨靴。
【請求項２】
前記分流シートは、本体と、該本体を貫通する中心穴と、複数の放射状に配列する通路と、を備えることを特徴とする請求項１に記載の表層布を備える雨靴。
【請求項３】
前記表層布における、分流シートに対応する箇所に開口が形成されることを特徴とする請求項２に記載の表層布を備える雨靴。
【請求項４】
前記分流シートは、樹脂素材からなる一体成形のものであり、中心穴の周囲に複数の放射状のリブが設けられ、隣り合う２つのリブの間に通路が形成されることを特徴とする請求項３に記載の表層布を備える雨靴。
【請求項５】
前記内層布が編織物からなることを特徴とする請求項４項に記載の表層布を備える雨靴。
【請求項６】
前記表層布は、ヌバック調皮革様シートを縫製してなるものであることを特徴とする請求項１乃至５の何れか１項に記載の表層布を備える雨靴。
【請求項７】
請求項１の表層布を備える雨靴における分流シートであって、
前記分流シートは、樹脂素材からなる一体成形のものであり、本体と、該本体を貫通する中心穴と、放射状に複数配列される通路を備えることを特徴とする分流シート。
【請求項８】
前記中心穴の周囲に複数の放射状のリブが設けられ、隣り合う２つのリブの間に通路が形成されることを特徴とする請求項７に記載の表層布を備える雨靴。
【考案の詳細な説明】
【技術分野】
【０００１】
本考案は、特に表面に表層布が設置される雨靴及びその分流シートに関するものである。
【背景技術】
【０００２】
従来の雨靴は通常、金型を用いて樹脂により一体成形され、靴本体とソールとが一体に成形されることから、防水効果に優れるが、従来の雨靴は、構造強度が低く、雨靴内に湿気が溜まることから履き心地が悪く、その上、デザイン性に乏しく、外形が単調で美観に劣るという問題があった。
【０００３】
上述した問題を解決するために、当業者は、台湾登録実用新案Ｍ４５８９３１号の「改良型の雨靴」を案出した。この雨靴は、雨靴の裏面に、柄などを備える内層布が貼り付けられ、外層は透明樹脂からなることから、外観から見て美観に優れると共に、その内層布は、速乾の機能を備えるため、履き心地が快適である。しかしながら、この設計によれば、美観をよくする効果はあるが、外層が透明樹脂からなることから、一目でレインブーツと分かり、カジュアルシューズやビジネスシューズのようにお洒落に履くことができない。
【考案の概要】
【考案が解決しようとする課題】
【０００４】
既存の雨靴は、美観性を向上させるために、表面にデザイン性のある布やヌバック調皮革様シートなどの表層布を貼付加工や縫製加工により貼り合わせる必要があり、この加工作業は人力で行うことから、工夫を要し作業時間もかかるため、生産コストが高くなる。また、その布やヌバック調皮革様シートは、スムーズかつピッタリと雨靴の表面に貼り付けることができないため、防水効果を備えるが、デザイン性に欠点を有し、実用性及び美観性を兼ねることができない。
【課題を解決するための手段】
【０００５】
本考案に係る表層布を備える雨靴は、
上部に履き口を有する履き空間と、底部に設けられる裏面底部と、該履き空間を囲むように設置される内層布と、外表面に設置される表層布と、該内層布と表層布との間に設置される樹脂層とを備える靴本体と、
前記靴本体の裏面底部と一体に形成される靴底と、
前記内層布と表層布との間に位置するように裏面底部に埋設される分流シートと、を有するものである。
【０００６】
かかる表層布を備える雨靴において、前記分流シートは、本体と、該本体を貫通する中心穴と、複数の放射状に配列する通路と、を備えることが好ましい。
【０００７】
かかる表層布を備える雨靴において、前記表層布における、分流シートに対応する箇所に開口が形成されることが好ましい。
【０００８】
かかる表層布を備える雨靴において、前記分流シートは、樹脂素材からなる一体成形のものであり、中心穴の周囲に複数の放射状のリブが設けられ、隣り合う２つのリブの間に通路が形成されることが好ましい。
【０００９】
かかる表層布を備える雨靴において、前記内層布が編織物からなることが好ましい。
【００１０】
かかる表層布を備える雨靴において、前記表層布は、ヌバック調皮革様シートを縫製してなるものであることが好ましい。
【００１１】
本考案に係る分流シートは、
前記表層布を備える雨靴における分流シートであって、
前記分流シートは、樹脂素材からなる一体成形のものであり、本体と、該本体を貫通する中心穴と、放射状に複数配列される通路を備えるものである。
【００１２】
かかる分流シートにおいて、前記中心穴の周囲に複数の放射状のリブが設けられ、隣り合う２つのリブの間に通路が形成されることが好ましい。
【考案の効果】
【００１３】
本考案は、既存の技術に対して以下のメリットを有する。
１.本考案は、金型成形を用いて表層布を直接に靴本体の表面に貼り付けることから、表層布をスムーズかつピッタリと靴本体の表面に位置させることができると共に、防水効果にも優れる。
２.本考案は、分流シートを有することから、金型成形を利用することにより、一回で表層布を備える雨靴を作成することができることから、製造プロセスを簡単化できると共に、ステップ及び生産時間を節約できるので、生産コストを減少することができる。
３.本考案における表層布は、予加工して所望の形状にすることができることから、実際の需要により、実用性及び美観性を兼ねることができる。
４.本考案に係る雨靴は、一体となる内層布と表層布と樹脂層とを備えることから、構造強度が丈夫であり、優れた耐久性を備える。
５.本考案に係る雨靴は、内層布を備えることから、履き心地が非常によい。
【図面の簡単な説明】
【００１４】
【図１】本考案に係る表層布を備える雨靴を製造するための金型を示す説明図である。
【図２】本考案に係る表層布を備える雨靴において、内層布及び分流シートを靴型座に設置する状態を示す説明図である。
【図３】本考案に係る表層布を備える雨靴における分流シートを示す斜視図である。
【図４】本考案に係る表層布を備える雨靴において、表層布を靴型座に設置する状態を示す説明図である。
【図５】本考案に係る表層布を備える雨靴において、金型における第一側部及び第二側部を互いに組み合せる状態を示す上面視説明図である。
【図６】本考案に係る表層布を備える雨靴において、射入部を用いて樹脂を充填する状態を示す部分拡大断面説明図である。
【図７】本考案に係る表層布を備える雨靴の完成品を示す説明図である。
【図８】本考案に係る表層布を備える雨靴の完成品の部分拡大断面説明図である。
【考案を実施するための形態】
【００１５】
Ａ、雨靴の金型を用意するステップ：図１に示すように、本考案に係る雨靴を作るための金型１０を用意する。該金型１０は、金型座部１１と、該金型座部１１に固定設置する靴型座１２と、該靴型座１２の両側にそれぞれ位置するように、該金型座部１１に枢設される第一側部１３及び第二側部１４と、該第一側部１３に枢設連結する射入部１５と、該第二側部１４に枢設連結する底金型１６とを備える。
【００１６】
前記金型座部１１における、靴型座１２の後方に枢設柱１１１が直立状態で設けられ、該靴型座１２の前方に位置決め柱１１２が直立状態で設けられ、該靴型座１２は、雨靴の形状かつ反転する状態で金型座部１１に取り付けられ、該靴型座１２の上部に靴底部１２１が設けられ、該靴底部１２１における足底区域１２２に、間隔をおいて環状に配列する４本の固定ピン１２３が設けられ、該第一側部１３は、第一枢設管１３１を介して枢設柱１１１に環装され、該第二側部１４は、第二枢設管１４１を介して枢設柱１１１に環装され、該第一側部１３と第二側部１４とは、互いに対向するように配置され、該第一側部１３に、靴型座１２における一側の部分に対応する第一靴型側部穴１３２が形成され、該第二側部１４に、靴型座１２における他側の部分に対応する第二靴型部穴１４２が形成され、該第一側部１３及び第二側部１４における、位置決め柱１１２に対応する箇所にそれぞれ、第一位置決め凹部１３３及び第二位置決め凹部１４３が形成され、この構成によれば、該第一側部１３及び第二側部１４を合わせて靴型座１２の周囲に精確且つ安定に閉じることができる。
【００１７】
図１及び図５に示すように、前記射入部１５は、一側にあるヒンジ１５１を介して第一側部１３の上面に枢設連結され、前記第一側部１３と第二側部１４とを組み合せると、該射入部１５が靴型座１２の上部をカバーすることができ、更に、該射入部１５に、靴型座１２の靴底部１２１に対応する充填凹部１５２が形成され、該射入部１５における、固定ピン１２３に対応する箇所に、浅い円形の嵌め込み凹部１５３が形成され、該嵌め込み凹部１５３の中央に注入穴１５４が形成され、該射入部１５に、嵌め込み凹部１５３と連通する空気排出穴１５５が形成される。
前記底金型１６は、一側にあるヒンジ１６１を介して第二側部１４の上面に枢設連結され、前記第一側部１３と第二側部１４とを組み合せると、該底金型１６が靴型座１２の上部をカバーすることができ、更に、該底金型１６に、靴型座１２の靴底部１２１に対応する底金型凹部１６２が形成される。
【００１８】
Ｂ、分流シート３０を用意するステップ：図２及び図３に示すように、本考案に係る雨靴を作るための分流シート３０を用意する。なお、該分流シート３０は、樹脂素材からなる一体成形のものであり、本体３１と、該本体３１の中心に形成される中心穴３２と、複数の放射状に配列する通路３４と、該分流シート３０を靴型座１２の足底区域１２２に位置決めるために、該分流シート３０の周縁近傍における、靴型座１２の４つの固定ピン１２３に対応する箇所に形成される４つの固定穴３５を備える。
【００１９】
Ｃ、内層布２１の設置ステップ：図２に示すように、編織物またはフェルトを縫合し、雨靴の形状に対応する内層布２１を靴型座１２に環装し、それぞれの固定ピン１２３が内層布２１を貫通して露出する。
【００２０】
Ｄ、分流シート３０の設置ステップ：図２及び図３に示すように、それらの固定ピン１２３を固定穴３５に挿設することにより、分流シート３０を内層布２１に貼り付けるように靴型座１２の上方に設置する。
【００２１】
Ｅ、表層布２２の設置ステップ：図４に示すように、デザイン性がある布や、ヌバック調皮革様シート、革、布などを縫合し、雨靴の形状に対応する表層布２２を、靴型座１２及び内層布２１に環装し、分流シート３０を表層布２２と内層布２１との間に位置させ、また、該表層布２２における、分流シート３０の中心穴３２に対応する箇所に開口２２１を形成する。
【００２２】
Ｆ、金型を閉じて樹脂を充填するステップ：図５及び図６に示すように、第一側部１３及び第二側部１４を互いに組み合せて靴型座１２の周囲を囲んでから、射入部１５を靴型座１２及び第一側部１３と第二側部１４の上部をカバーして、射入部１５の注入穴１５４を、分流シート３０の中心穴３２に対応するように位置させ、金型を閉じる。その後、射入部１５の注入穴１５４を介して靴本体の樹脂を充填し、その注入した靴本体の樹脂を、分流シート３０の中心穴３２及び通路３４から内層布２１と表層布２２との間に充填する。この方法によれば、内層布２１及び表層布２２をピッタリと靴型座１２と、第一側部１３の第一靴型側部穴１３２と、第二側部１４の第二靴型部穴１４２と、射入部１５の充填凹部１５２に貼り付けることができ、これと同時に、靴本体１２の樹脂を内層布２１及び表層布２２に浸透させて一体とするために、内層布２１と表層布２２との間に樹脂層２３が形成される。
【００２３】
Ｇ、靴底金型の交換及び樹脂の充填ステップ：靴本体を構成した後、射入部１５を開けて、底金型１６により靴型座１２と、第一側部１３と、第二側部１４の上部をカバーし、靴底の樹脂を充填して靴本体と一体に連結されるソール２４を成形する。
【００２４】
Ｈ、成型ステップ：出来上がったソール２４を金型から取り外し、余った布材を切り取って外周縁を綺麗にして、図７及び図８に示すような表層布を備える雨靴を完成させる。
【００２５】
図７及び図８に示すように、本考案に係る雨靴２０は、靴本体及び、該靴本体の底部に一体に成形連結されるソール２４を備え、該靴本体は、上部に履き口を備える履き空間２５が形成され、該ソール２４は、一体に連結する内側底部２６を備え、また、該靴本体は、履き空間２５を囲む内層布２１と、外表面に設置される表層布２２と、該内層布２１と表層布２２との間に設置される樹脂層２３と、該内層布２１と表層布２２との間に位置するように内側底部２６に埋設される分流シート３０を有する。
【００２６】
本考案は、金型１０及び分流シート３０の設計を有することから、金型成形を用いて直接に表層布を備える雨靴２０を作ることができ、また、製造プロセスを簡単化することにより、工程数や製造時間を省けることから、生産コストを減少させると共に、表層布がスムーズかつピッタリと靴本体の表面に貼り付けられるため、雨靴の外観にデザイン性が向上すると共に、美観にも優れるので、実用性が高い。
【符号の説明】
【００２７】
１０    金型
１１    金型座部
１１１  枢設柱
１１２  位置決め柱
１２    靴型座
１２１  靴底部
１２２  足底区域
１２３  固定ピン
１３    第一側部
１３１  第一枢設管
１３２  第一靴型側部穴
１３３  第一位置決め凹部
１４    第二側部
１４１  第二枢設管
１４２  第二靴型部穴
１４３  第二位置決め凹部
１５    射入部
１５１  ヒンジ
１５２  充填凹部
１５３  嵌め込み凹部
１５４  注入穴
１５５  空気排出穴
１６    底金型
１６１  ヒンジ
１６２  底金型凹部
２０    雨靴
２１    内層布
２２    表層布
２２１  開口
２２２  履き空間
２３    樹脂層
２４    ソール
２５    履き空間
２６    内側底部
３０    分流シート
３１    本体
３２    中心穴
３４    通路
３５    固定穴
【図１】
0003215733.tif 000003
【図２】
0003215733.tif 000004
【図３】
0003215733.tif 000005
【図４】
0003215733.tif 000006
【図５】
0003215733.tif 000007
【図６】
0003215733.tif 000008
【図７】
0003215733.tif 000009
【図８】
0003215733.tif 000010
【手続補正書】
【提出日】平成30年2月6日(2018.2.6)
【手続補正１】
【補正対象書類名】実用新案登録請求の範囲
【補正対象項目名】全文
【補正方法】変更
【補正の内容】
【実用新案登録請求の範囲】
【請求項１】
上部に履き口を有する履き空間と、底部に設けられる裏面底部と、該履き空間を囲むように設置される内層布と、外表面に設置される表層布と、該内層布と表層布との間に設置される樹脂層とを備える靴本体と、
前記靴本体の裏面底部と一体に形成される靴底と、
前記内層布と表層布との間に位置するように裏面底部に埋設される分流シートと、を有することを特徴とする表層布を備える雨靴。
【請求項２】
前記分流シートは、本体と、該本体を貫通する中心穴と、複数の放射状に配列する通路と、を備えることを特徴とする請求項１に記載の表層布を備える雨靴。
【請求項３】
前記表層布における、分流シートに対応する箇所に開口が形成されることを特徴とする請求項２に記載の表層布を備える雨靴。
【請求項４】
前記分流シートは、樹脂素材からなる一体成形のものであり、中心穴の周囲に複数の放射状のリブが設けられ、隣り合う２つのリブの間に通路が形成されることを特徴とする請求項３に記載の表層布を備える雨靴。
【請求項５】
前記内層布が編織物からなることを特徴とする請求項４項に記載の表層布を備える雨靴。
【請求項６】
前記表層布は、ヌバック調皮革様シートを縫製してなるものであることを特徴とする請求項１乃至５の何れか１項に記載の表層布を備える雨靴。
【請求項７】
請求項１の表層布を備える雨靴における分流シートであって、
前記分流シートは、樹脂素材からなる一体成形のものであり、本体と、該本体を貫通する中心穴と、放射状に複数配列される通路を備えることを特徴とする分流シート。
【請求項８】
前記中心穴の周囲に複数の放射状のリブが設けられ、隣り合う２つのリブの間に通路が形成されることを特徴とする請求項７に記載の分流シート。